(57)【要約】【課題】加熱ローラの記録媒体が通過しない非通過部を効率的に冷却することを可能とする。【解決手段】印刷装置は、記録媒体に現像剤像を転写する転写部と、転写部で現像剤像が転写された記録媒体に現像剤像を定着させるための熱を供給する加熱ローラと、記録媒体と接触しない前記加熱ローラの第１の部分の温度を検知する第１の温度検知手段と、第１の温度検知手段により検知された温度が冷却条件を満たすと、加熱ローラの第１の部分を冷却する冷却手段と、を備える。【選択図】図１
2015132698.tif 000002
【特許請求の範囲】
【請求項１】
記録媒体に現像剤像を転写する転写部と、
前記転写部で前記現像剤像が転写された前記記録媒体に前記現像剤像を定着させるための熱を供給する加熱ローラと、
前記記録媒体と接触しない前記加熱ローラの第１の部分の温度を検知する第１の温度検知手段と、
前記第１の温度検知手段により検知された温度が冷却条件を満たすと、前記加熱ローラの前記第１の部分を冷却する冷却手段と、
を備える、
ことを特徴とする印刷装置。
【請求項２】
前記冷却手段は、
冷却部と、
前記加熱ローラの前記第１の部分に接触して前記第１の部分の熱を前記冷却部に伝導する熱伝導部と、
前記第１の温度検知手段が検知した温度が前記冷却条件を満たすと、前記熱伝導部を前記第１の部分に接触させて、前記加熱ローラの冷却を開始する冷却開始手段と、
前記第１の温度検知手段が検知した温度が冷却停止条件を満たすと、前記第１の部分に接触している前記熱伝導部を前記第１の部分から離接させて、前記加熱ローラの冷却を停止する冷却停止手段と、
を有する、
ことを特徴とする請求項１に記載の印刷装置。
【請求項３】
セット部にセットされた前記記録媒体の記録幅を判別する記録幅判別手段と、
それぞれが、前記第１の部分に接触して前記第１の部分の熱を前記冷却部に伝導する、前記第１の部分に接触する接触部の幅が互いに異なる複数の前記熱伝導部と、
前記複数の熱伝導部のうちから、前記記録幅判別手段が判別した前記記録媒体の前記記録幅に適合する前記熱伝導部を選択する選択手段と、
をさらに備え、
前記冷却開始手段は、前記第１の温度検知手段が検知した温度が前記冷却条件を満たすと、前記選択手段が選択した前記熱伝導部を前記第１の部分に接触させて、前記加熱ローラの冷却を開始する、
ことを特徴とする請求項２に記載の印刷装置。
【請求項４】
前記記録媒体と接触する前記加熱ローラの第２の部分の温度を検知する第２の温度検知手段をさらに備え、
前記冷却条件は、前記第１の温度検知手段により検知された温度が上限温度を超えた場合、又は、前記第１の温度検知手段により検知された前記第１の部分の温度と前記第２の温度検知手段により検知された前記第２の部分の温度との温度差が第１の許容温度差を超えて高くなった場合、に満たされ、
前記冷却停止条件は、前記第１の温度検知手段により検知された温度が、前記上限温度よりも低い温度に設定された下限温度を下回った場合、又は、前記第１の温度検知手段により検知された前記第１の部分の温度と前記第２の温度検知手段により検知された前記第２の部分の温度との温度差が前記第１の許容温度差よりも小さな値に設定された第２の許容温度差を下回った場合、に満たされる、
ことを特徴とする請求項２又は３に記載の印刷装置。
【請求項５】
記録媒体に現像剤像を転写する転写部と、
前記転写部で前記現像剤像が転写された前記記録媒体に前記現像剤像を定着させるための熱を供給する加熱ローラと、
を備える印刷装置の印刷制御方法であって、
前記記録媒体と接触しない前記加熱ローラの第１の部分の温度を検知する第１の温度検知ステップと、
前記第１の温度検知ステップにより検知された温度が冷却条件を満たすと、前記第１の部分を冷却する冷却ステップと、
を備える、
ことを特徴とする印刷制御方法。
【請求項６】
記録媒体に現像剤像を転写する転写部と、
前記転写部で前記現像剤像が転写された前記記録媒体に前記現像剤像を定着させるための熱を供給する加熱ローラと、
を備える印刷装置のプログラムであって、
コンピュータに、
前記記録媒体と接触しない前記加熱ローラの第１の部分の温度を検知する第１の温度検知処理と、
前記第１の温度検知処理により検知された温度が冷却条件を満たすと、前記第１の部分を冷却する冷却処理と、
を実行させる、
ことを特徴とするプログラム。
【発明の詳細な説明】
【技術分野】
【０００１】
この発明は、印刷装置、印刷制御方法及びプログラムに関する。
【背景技術】
【０００２】
印刷装置では、一般に、加熱ローラと加圧ローラとで熱と圧力とを加え、転写されたトナー像を記録媒体に定着させる。ここで、加熱ローラの記録媒体が通過する通過部は記録媒体により熱が奪われるが、加熱ローラの記録媒体が通過しない非通過部は放熱されることなく過熱状態になることがある。これは、加熱ローラの材質にダメージを与え、加熱ローラの寿命の低下につながる。また、加熱ローラの記録媒体が通過しない非通過部が過熱状態のまま、サイズが大きい記録媒体に変更して印刷を実行すると、トナーの定着不良が生じることがある。
【０００３】
この問題を解決するために、特許文献１は、加熱ローラの熱を吸収する吸収板と、熱を大気中に放出する放熱板と、ペルチェ素子と、から構成される冷却装置を加熱ローラの両端部に離間して配置することにより、加熱ローラの両端部を冷却する技術を開示している。
【先行技術文献】
【特許文献】
【０００４】
【特許文献１】特開２００７−２７９２６６号公報
【発明の概要】
【発明が解決しようとする課題】
【０００５】
しかしながら、特許文献１の技術によれば、加熱ローラの両端部に配置された吸収板の所定の幅を冷却できるにとどまり、記録媒体の記録幅に応じて異なる非通過部の幅を冷却することができない。また、ペルチェ素子は、それ自体が発熱することや電力消費が大きいこと等から、熱交換方式等による他の冷却手段と比較して冷却効率が悪い。
【０００６】
本発明は、このような状況に鑑みてなされたものであり、加熱ローラの記録媒体が通過しない非通過部を効率的に冷却することができる、印刷装置、印刷制御方法及びプログラムを提供することを目的とする。
【課題を解決するための手段】
【０００７】
上記の目的を達成するため、本発明に係る印刷装置は、
記録媒体に現像剤像を転写する転写部と、
前記転写部で前記現像剤像が転写された前記記録媒体に前記現像剤像を定着させるための熱を供給する加熱ローラと、
前記記録媒体と接触しない前記加熱ローラの第１の部分の温度を検知する第１の温度検知手段と、
前記第１の温度検知手段により検知された温度が冷却条件を満たすと、前記加熱ローラの前記第１の部分を冷却する冷却手段と、
を備える、
ことを特徴とする。
【発明の効果】
【０００８】
本発明によれば、加熱ローラの記録媒体が通過しない非通過部を効率的に冷却することを可能とする。
【図面の簡単な説明】
【０００９】
【図１】本実施形態に係る印刷装置の全体構成を模式的に示す図である。
【図２】（Ａ）は、記録媒体セットユニットの斜視図である。（Ｂ）〜（Ｄ）は、（Ａ）のＡ−Ａ断面図である。（Ｂ）は、スイッチ素子ＳＷ１がオンになった状態を示す図である。（Ｃ）は、スイッチ素子ＳＷ２がオンになった状態を示す図である。（Ｄ）は、スイッチ素子ＳＷ１及びＳＷ２がオンになった状態を示す図である。
【図３】記録媒体の記録幅を検出するための構成を示す図である。（Ａ）は、スイッチ素子のオン／オフ状態と記録媒体の記録幅との対応関係を示すテーブルである。（Ｂ）は、記録媒体の記録幅を検出するための回路図である。
【図４】実施形態１に係る画像形成装置の内部構成を示す断面図である。
【図５】ヒートパイプユニット、加熱ローラ、従動ローラの内部の構造を示す概略図である。（Ａ）は、ヒートパイプが待機位置にある状態のヒートパイプユニット、加熱ローラ、従動ローラの長手方向に直交する断面図であり、（Ｂ）のＢ−Ｂ断面図でもある。（Ｂ）は、（Ａ）のＡ−Ａ断面図である。（Ｃ）はヒートパイプが作用位置にある状態のヒートパイプユニット、加熱ローラ、従動ローラの長手方向に直交する断面図であり、（Ｄ）のＤ−Ｄ断面図でもある。（Ｄ）は、（Ｃ）のＣ−Ｃ断面図である。
【図６】（Ａ）は、ヒートパイプユニットの種別とその種別毎に内蔵するヒートパイプとを示す図である。（Ｂ）は、ヒートパイプユニットの種別と、ヒートパイプユニットの非接触部の幅と、記録媒体の記録幅と、を対応づけたヒートパイプユニット対応テーブルを示す図である。
【図７】駆動部の構造を示す概略図である。
【図８】ヒートパイプユニットの種別を検出するための構成を示す図である。（Ａ）は、ヒートパイプユニットの種別と検出電圧との対応関係を示すテーブルである。（Ｂ）は、ヒートパイプユニットの種別を検出するための回路図である。
【図９】実施形態１に係る画像形成装置の制御に係る構成を示すブロック図である。
【図１０】加熱ローラの表面温度分布のイメージを示す図である。
【図１１】（Ａ）は、実施形態１に係る印刷装置が実行する適合判別処理のフローチャートである。（Ｂ）は、実施形態１に係る印刷装置が報知するメッセージ画面を示す図である。
【図１２】実施形態１に係る印刷装置が実行する冷却処理のフローチャートである。
【図１３】複数のヒートパイプを内蔵するヒートパイプユニットの構造を示す概略図である。（Ａ）は、ヒートパイプが待機位置にある状態を示す概略図である。（Ｂ）は、ヒートパイプが作用位置にある状態を示す概略図である。
【図１４】実施形態２に係る印刷装置が実行する適合判別処理のフローチャートである。
【図１５】加熱ローラの周囲に複数のヒートパイプユニットを配置した状態を示す概略図である。
【発明を実施するための形態】
【００１０】
以下、本発明の実施形態に係る印刷装置について、図面を参照しながら説明する。
【００１１】
（実施形態１）
図１に、本発明の実施形態に係る印刷装置の全体構成を示す。印刷装置１００は、供給装置１０と、画像形成装置２０と、を備える。なお、以下に説明する実施形態では、記録媒体としてロール状の記録媒体９９を使用する例を示すが、これに限るものではなく、カット状の記録媒体、ピン送り孔付き連続記録媒体等でもよい。
【００１２】
供給装置１０は、画像形成用の記録媒体として、記録媒体９９を画像形成装置２０に供給する。供給装置１０は、巻き芯（管）の周りに記録媒体がロール状に巻き回されたロール状の記録媒体９９を連続的に引き出して、画像形成装置２０に搬送する。具体的に説明すると、供給装置１０は、保持部（アンワインダ）１８、搬送部１１、をその内部に備え、さらに巻き取り部（リワインダ）１９をその上に備える。供給装置１０は、記録媒体を供給する供給手段として機能する。
【００１３】
保持部（アンワインダ）１８は、画像形成装置２０へ供給するべき記録媒体９９を保持するための部材である。保持部１８は、記録媒体９９の巻き中心にある巻き芯を貫通して記録媒体９９を保持する回転可能な回転軸（シャフト）と、この回転軸を支持する支持台と、から構成され、記録媒体９９を回転可能に保持する。保持部（アンワインダ）１８は、保持手段として機能する。
【００１４】
保持部１８には、回転軸を回転させるための不図示のモータが搭載される。保持部１８は、このモータの駆動により、指示された単位時間当たりの回転数（単位時間に回転する回数）で保持部１８の回転軸を回転させて、保持している記録媒体９９を巻き出して搬送部１１に送り出す。
【００１５】
搬送部１１は、保持部１８から巻き出された記録媒体９９を所定の搬送経路に沿って搬送し、画像形成装置２０へと供給する搬送手段として機能する。具体的には、搬送部１１は、テンションローラ１２、従動ローラ１３、記録媒体セットユニット１４、記録媒体搬送ローラ対１５、オートカッタ１６、本体進入搬送ローラ対１７、を備える。
【００１６】
テンションローラ１２は、搬送部１１における保持部１８の直後に設置され、保持部１８から送り出された記録媒体９９がたるまないように制御する。テンションローラ１２は、鉛直方向に移動可能に設置され、自重又はバネ等の力により鉛直下向きに移動して搬送中の記録媒体９９にバックテンションを与える。このようなテンションローラ１２の機能により、記録媒体９９に掛かるテンション（張力）が一定に保たれ、記録媒体９９の搬送が安定する。
【００１７】
従動ローラ１３は、記録媒体９９の搬送に従動して、位置が固定された所定の回転軸の周りを回転するローラである。従動ローラ１３は、搬送経路におけるテンションローラ１２の下流に配置され、記録媒体９９の搬送方向を調整する役割を果たす。
【００１８】
記録媒体セットユニット１４は、記録媒体９９の供給位置を規制するために用意されたセット部としてのユニットである。記録媒体セットユニット１４は、記録媒体セットユニット１４本体に開閉自在に係合されたトップカバーと、記録媒体９９の搬送方向に直交する搬送直交方向に記録媒体９９のずれを規制する規制ガイドと、を備える。トップカバーは、記録媒体搬送ローラ対１５の上側のローラを保持する部材と一体的に構成されており、記録媒体搬送ローラ対１５と共に開閉される。規制ガイドは、記録媒体セットユニット１４本体の底板にスライド自在に取り付けられており、記録媒体９９の記録幅判別手段として機能する。
【００１９】
ここで、図２及び図３を参照して、記録媒体９９の記録幅を判別するための構成について説明する。なお、記録幅とは、搬送方向に直交する搬送直交方向における記録媒体９９の長さ（幅）を意味する。
【００２０】
図２（Ａ）に示すように、記録媒体９９は、オペレータにより保持部（アンワインダ）１８から巻き出され、記録媒体セットユニット１４の底板上に載置される。オペレータは、載置した記録媒体９９の搬送直交方向のずれが生じないように、規制ガイド１４ａを搬送直交方向にスライドさせて記録媒体９９の搬送位置を規制する。これにより、記録媒体９９は、搬送直交方向のずれが抑制され、正規の状態で搬送される。
【００２１】
規制ガイド１４ａの底板には、突出部１４ｂが一体形成されており、この突出部１４ｂは、規制ガイド１４ａのスライドと連動して搬送直交方向に移動する。また、突出部１４ｂの下方には、マイクロスイッチ、リードスイッチ等のスイッチ素子（ＳＷ１，ＳＷ２）１４ｃ，１４ｄが配置されている。
【００２２】
また、図２（Ｂ）〜（Ｄ）に示すように、突出部１４ｂの下面には、スイッチを押下するための押下片１４ｆ，１４ｅが配置されている。記録媒体セットユニット１４の底板上に載置された記録媒体９９の記録幅に応じてスライドさせた規制ガイド１４ａが停止した位置で、押下片１４ｆ又は／及び１４ｅがスイッチ素子１４ｃ又は／及び１４ｄを押下するように構成されている。これにより、スイッチ素子１４ｃ，１４ｄのオン／オフが切り替わる。
【００２３】
図２（Ｂ）に示すように、Ａ５の記録媒体９９を規制する位置で突出部１４ｂが停止した場合、押下片１４ｅによりスイッチ素子（ＳＷ１）１４ｃは押下され、オン状態となる。一方、スイッチ素子（ＳＷ２）１４ｄは、オフ状態である。また、図２（Ｃ）に示すように、Ｂ５の記録媒体９９を規制する位置で突出部１４ｂが停止した場合、押下片１４ｅによりスイッチ素子（ＳＷ２）１４ｄは押下され、オン状態となる。一方、スイッチ素子（ＳＷ１）１４ｃは、オフ状態である。また、図２（Ｄ）に示すように、Ａ４の記録媒体９９を規制する位置で突出部１４ｂが停止した場合、押下片１４ｆによりスイッチ素子（ＳＷ１，ＳＷ２）１４ｃ，１４ｄは共に押下され、オン状態となる。
【００２４】
図３（Ａ）は、定形記録媒体Ａ５，Ｂ５，Ａ４の記録幅の記録媒体９９がそれぞれ規制ガイド１４ａにより規制された場合、及び記録媒体９９が規制ガイドにより規制されていない場合のスイッチ素子（ＳＷ１，ＳＷ２）１４ｃ，１４ｄのオン／オフ状態を示すテーブルである。画像形成装置２０は、スイッチ素子（ＳＷ１，ＳＷ２）１４ｃ，１４ｄのオン／オフによって変化する電圧レベルの組み合わせに基づいて、記録媒体９９の記録幅がいずれの定形記録媒体の記録幅に該当するかを判別する。
【００２５】
図３（Ｂ）に示すように、スイッチ素子（ＳＷ１）１４ｃと画像形成装置２０の後述するＣＰＵ（Central Processing Unit）６１の入力ポートＩＮ１とを接続する信号線には、電源電圧Ｖｃｃ１がプルアップ抵抗Ｒ１を介して接続されている。また、スイッチ素子（ＳＷ２）１４ｄとＣＰＵ６１の入力ポートＩＮ２とを接続する信号線には、電源電圧Ｖｃｃ２がプルアップ抵抗Ｒ２を介して接続されている。また、スイッチ素子（ＳＷ１）１４ｃとスイッチ素子（ＳＷ２）１４ｄとは、一端がグランドレベルに接地されたアース線により接続されている。
【００２６】
例えば、記録媒体９９が載置されておらず、規制ガイド１４ａにより記録媒体９９が規制されていない場合、図３（Ｂ）に示すように、スイッチ素子（ＳＷ１，ＳＷ２）１４ｃ，１４ｄはいずれもＯＦＦの状態であり、各プルアップ抵抗Ｒ１，Ｒ２を介してプルアップされ、ＣＰＵ６１の入力ポートＩＮ１とＩＮ２とには、それぞれ、Ｈ（ハイ）レベルの電圧（３Ｖ）が印加される。
【００２７】
また、例えば、Ａ４の記録幅の記録媒体９９を記録媒体セットユニット１４に載置し、記録媒体９９を規制するために規制ガイドをスライドさせた場合、スイッチ素子（ＳＷ１）１４ｃはＯＦＦ、スイッチ素子（ＳＷ２）１４ｄはＯＮの状態となる。このため、ＣＰＵ６１の入力ポートＩＮ１には、プルアップされ、Ｈ（ハイ）レベルの電圧（３Ｖ）が印加される。一方、入力ポートＩＮ２には、グランドに直結し、Ｌ（ロウ）レベルの電圧（０Ｖ）が印加される。
【００２８】
このように、ＣＰＵ６１は、印加される電圧の変化に基づいて、記録媒体セットユニット１４にセットされた記録媒体９９のサイズ（記録幅）を検出する。
【００２９】
図１に戻って、記録媒体搬送ローラ対１５は、記録媒体セットユニット１４によりセットされた記録媒体９９を後続の搬送機構へと搬送するための部材である。記録媒体搬送ローラ対１５は、不図示のモータにより駆動され、記録媒体セットユニット１４にセットされた記録媒体９９を挟持して搬送し、オートカッタ１６及び本体進入搬送ローラ対１７に供給する。
【００３０】
オートカッタ１６は、必要に応じて記録媒体９９をカットするための部材である。オートカッタ１６は、例えば、画像形成装置２０における画像形成に必要な長さの記録媒体９９を搬送し終えたときに、記録媒体９９の終端をカットする。
【００３１】
本体進入搬送ローラ対１７は、記録媒体９９を画像形成装置２０の内部へと搬送するための部材である。本体進入搬送ローラ対１７は、不図示のモータにより駆動され、記録媒体搬送ローラ対１５から供給された記録媒体９９を挟持して搬送し、画像形成装置２０へと供給する。
【００３２】
ここで、供給装置１０に記録媒体９９をセットする操作を具体的に説明する。オペレータは、記録媒体９９を保持部１８から巻き出して、テンションローラ１２の下側を通して、開状態にした記録媒体セットユニット１４を経由して記録媒体搬送ローラ対１５に挟む。この状態で記録媒体セットユニット１４のトップカバーを閉じると、セットされた記録媒体９９が適宜のセンサにより検出されて、記録媒体搬送ローラ対１５が回転駆動する。そして、セットされた記録媒体９９は、オートカッタ１６を通って本体進入搬送ローラ対１７まで搬送されて、画像形成装置２０への進入直前の待機位置（ホームポジション）に設置される。
【００３３】
一方、供給装置１０上に設置された巻き取り部（リワインダ）１９は、画像形成装置２０から排出された記録媒体９９を巻き取って保持するための部材である。巻き取り部１９は、保持部１８と同様、記録媒体９９の巻き中心にある巻き芯（管）を貫通して記録媒体９９を保持する回転可能な巻き取り軸（シャフト）と、この巻き取り軸を支持する支持台と、によって構成され、記録媒体９９を回転可能に保持する。
【００３４】
巻き取り部１９には、巻き取り軸を回転させるための不図示のモータが搭載される。このモータの駆動により、巻き取り部１９は、指示された単位時間当たりの回転数で巻き取り軸を回転させて、画像形成装置２０から従動ローラ２１を経由して送り出された記録媒体９９を巻き取る。
【００３５】
画像形成装置２０は、供給装置１０の天板上面に配置され、供給装置１０から供給される記録媒体９９に画像形成すべき画像データを出力する。画像形成装置２０は、例えばラベルプリンタであり、供給装置１０から連続的に供給される記録媒体９９を記録媒体として、比較的大きな面積におよぶ画像データの画像形成を記録媒体の切れ目なく行うことができる。
【００３６】
次に、図４を参照して、画像形成装置２０の内部構成を説明する。以下、画像形成装置２０として、電子写真式で二次転写方式のタンデム型のカラープリンタを例にとって説明する。画像形成装置２０は、画像形成部３０、中間転写ベルトユニット４０、定着部５０等を備える。
【００３７】
画像形成部３０は、４つの画像形成ユニット３１（３１ｋ、３１ｃ、３１ｍ、３１ｙ）が直列して設置された構成を備える。この４つの画像形成ユニット３１のうちの上流側（図４における右側）の３つの画像形成ユニット３１ｃ、３１ｍ、及び３１ｙは、それぞれ減法混色の三原色であるシアン（Ｃ）、マゼンタ（Ｍ）、イエロー（Ｙ）のカラートナーによるカラー画像を形成する。一方、下流側（図４における左側）の画像形成ユニット３１ｋは、主として文字や画像の暗黒部分等に用いられるブラック（Ｋ）トナーによるモノクロ画像を形成する。
【００３８】
各画像形成ユニット３１は、下部に感光体ドラム３２を備える。感光体ドラム３２は、その周面が、例えば、有機光導電性材料で構成される。感光体ドラム３２の近傍には、周面を取り巻くように、クリーナ３３、帯電ローラ３４、光書込ヘッド３５、現像器３６の現像ローラ３７が配置される。
【００３９】
現像器３６は、上部に設置されたトナー容器に、ブラック（Ｋ）、シアン（Ｃ）、マゼンタ（Ｍ）、イエロー（Ｙ）のいずれかのトナーを収容し、中間部には下部へのトナー補給機構を備え、下部には側面開口部に上述した現像ローラ３７を備える。現像器３６は、さらに内部にトナー撹拌部材、現像ローラ３７にトナーを供給するトナー供給ローラ、現像ローラ３７上のトナー層を一定の層厚に規制するドクターブレード等を備える。
【００４０】
なお、図４ではブラック（Ｋ）用の画像形成ユニット３１ｋの構成にのみ符号を付しているが、各画像形成ユニット３１は、トナー容器に収納されたトナーの色を除いて同じ構成を備える。
【００４１】
中間転写ベルトユニット４０は、画像形成装置２０内部のほぼ中央で、図４における左右のほぼ端から端まで扁平なループ状に延在する無端状の転写ベルト４１、転写ベルト４１を張架しながら図中の矢印Ａ方向に循環移動させる張架ローラである駆動ローラ４２及び従動ローラ４３、を備える。転写ベルト４１は、その表面上に各色の感光体ドラム３２の現像剤像としてのトナー像を順次重ねて転写（一次転写）されることにより、４色重ね合わせのトナー像が形成される。また、転写ベルト４１は、その表面上に転写されたトナー像を、記録媒体９９に転写（二次転写）する転写位置に搬送する。
【００４２】
中間転写ベルトユニット４０は、転写ベルト４１のループ内に、４個の画像形成ユニット３１ｋ，３１ｃ，３１ｍ，３１ｙに対応する４個の一次転写ローラ４４を備える。一次転写ローラ４４は、それぞれ、転写ベルト４１を介して感光体ドラム３２の下部周面に押圧するための導電性発泡ゴムによって構成され、中間ベルト４１と等速で回転し、転写ベルト４１を感光体ドラム３２に当接させたり感光体ドラム３２から離接させたりする。一次転写ローラ４４には、不図示の高圧電源により一次転写バイアスが印加され、感光体ドラム３２と一次転写ローラ４４との間に一次転写電界を形成する。これにより、感光体ドラム３２上に形成されたトナー像が転写ベルト４１上に転写される。
【００４３】
待機搬送ローラ対４５は、供給装置１０から搬送された記録媒体９９を受け取り、受け取った記録媒体９９を二次転写ローラ４６に搬送する。
【００４４】
二次転写ローラ４６は、転写ベルト４１を挟んで従動ローラ４３に対向する位置に配置され、転写ベルト４１上に転写されたトナー像を記録媒体９９に静電転写するための転写部材である。二次転写ローラ４６は、転写ベルト４１を介して従動ローラ４３を圧接し、従動ローラ４３と共に二次転写挟持部を形成する。
【００４５】
定着部５０は、二次転写部４６に対して、記録媒体９９の搬送方向の下流側（図４では上方）に配置される。定着部５０は、記録媒体９９に転写されたトナーを加熱して溶融すると共に、圧力を加えてトナーを記録媒体９９に浸透させることにより、トナー像を記録媒体９９に定着させる。定着部５０は、加熱ローラ５１、加圧ローラ５２、サーミスタ５３、ヒートパイプユニット５４、を備える。
【００４６】
加熱ローラ５１は、記録媒体９９に転写されたトナーを加熱するための加熱部材である。加熱ローラ５１は、図５（Ａ），（Ｃ）に示すように、金属からなる円筒体の芯金部５１ａと、芯金部５１ａの外表面を被うシリコンゴム等からなる弾性層５１ｂと、から構成される。また、加熱ローラ５１の芯金部５１ａは、中空状に形成され、その内部には、加熱手段であるヒータ５１ｃが内蔵される。加熱ローラ５１は、内部のヒータ５１ｃからの輻射熱により、トナーの溶融に必要な所定の温度になるように加熱される。
【００４７】
加圧ローラ５２は、加熱ローラ５１の加熱によって溶融状態にあるトナーを記録媒体９９に押圧することにより、トナー像を記録媒体９９に定着させる加圧部材である。加圧ローラ５２は、加熱ローラ５１と対向して配置され、バネ等の弾性体により弾力的に支持され、加熱ローラ５１に一定の圧力を加えるように付勢されている。これにより、加熱ローラ５１と加圧ローラ５２との間に、一定の圧力を確保した挟持部が形成され、記録媒体である記録媒体９９を通過させて、加熱及び加圧してトナー像を定着させる。加圧ローラ５２は、図５（Ａ），（Ｃ）に示すように、金属からなる円筒体の芯金部５２ａと、芯金部５２ａの外表面を被うシリコンゴム等からなる弾性層５２ｂと、から構成される。なお、必要に応じて、加圧ローラ５２にヒータを配置して一定の温度に加熱制御してもよい。
【００４８】
サーミスタ５３は、温度変化に応じて大きく抵抗値が変化する半導体抵抗であり、加熱ローラ５１の外周表面の温度を検出する温度センサの一部として機能する。加熱ローラ５１の記録媒体９９と接触する通過部（第２の部分）と記録媒体９９と接触しない非通過部（第１の部分）とに対向して近接する位置に、それぞれ、第１サーミスタ５３ａと第２サーミスタ５３ｂとが配置される。ＣＰＵ６１は、サーミスタ５３ａ，５３ｂのそれぞれの抵抗値に基づいて、加熱ローラ５１の通過部と非通過部との温度を算出する。なお、第１サーミスタ５３ａは、第２の温度検出手段として機能し、第２サーミスタ５３ｂは、第１の温度検出手段として機能する。
【００４９】
ヒートパイプユニット５４は、加熱ローラ５１の非通過部の温度上昇を抑制するために設けられた冷却用ユニットである。ヒートパイプユニット５４は、画像形成装置２０の定着部５０に着脱可能に格納される。ヒートパイプユニット５４は、抵抗素子５４ｒと、図５に示す、ヒートパイプ（熱伝導部）５５、駆動部５６、冷却部５７、を備える。なお、ヒートパイプユニット５４は、冷却手段の一部として機能する。本実施形態では、熱伝導部としてヒートパイプ５５を一例に説明する。
【００５０】
抵抗素子５４ｒは、後述するように、画像形成装置２０に装着されたヒートパイプユニット５４の種別を判別するための識別素子である。
【００５１】
ヒートパイプ５５は、加熱ローラ５１の非通過部を冷却するための円筒形状の熱伝導部材である。ヒートパイプ５５は、図５（Ｂ），（Ｄ）に示すように、非接触部５５ｃ、第１吸熱部（接触部）５５ａ、第２吸熱部（接触部）５５ｂ、挿着部５５ｉ、放熱部５５ｒ、に区分される。ヒートパイプ５５は、銅、窒化アルミニウム等の熱伝導性の高い金属で形成された金属パイプ内に空気等の非凝縮性ガスを脱気した状態で水、代替フロン等の凝縮性の作動流体を封入して真空密封し、金属パイプの内壁に表面張力による毛細管作用が生じるウィック構造を設けたものであり、作動流体の相変態及び移動によって熱が移動する。具体的には、ヒートパイプ５５の吸熱部５５ａ，５５ｂが加熱ローラ５１の非通過部の熱を潜熱として吸収することにより、液相状態の作動流体が蒸発して気相状態となってヒートパイプ５５の放熱部５５ｒに移動する。一方、ヒートパイプ５５の放熱部５５ｒでは、蒸気となった作動流体が冷却され、凝縮して再び液相状態の作動流体に変化し、ウィック構造による毛細管圧力によって吸熱部５５ａ，５５ｂに移動（還流）する。このように、蒸発と凝縮とに伴う潜熱移動により、小さな温度差で吸熱部５５ａ，５５ｂから放熱部５５ｒに大量の熱が輸送される。
【００５２】
ヒートパイプ５５は、加熱ローラ５１の非通過部が過熱状態でない場合は、図５（Ａ），（Ｂ）に示すように、加熱ローラ５１から離接された位置（待機位置）にある。一方、ヒートパイプ５５は、加熱ローラ５１の非通過部が過熱状態である場合は、図５（Ｃ），（Ｄ）に示す位置（作用位置）に駆動部５６ａ，５６ｂの回転に伴って移動する。これにより、ヒートパイプ５５の吸熱部５５ａ，５５ｂは、加熱ローラ５１の非通過部に摺接され、ヒートパイプの熱伝導作用により、加熱ローラ５１の非通過部が冷却される。
【００５３】
非接触部５５ｃは、ヒートパイプ５５のほぼ中央に位置し、第１吸熱部５５ａ及び第２吸熱部５５ｂよりも細径に形成された円筒部位である。このため、非接触部５５ｃは、図５に示すように、加熱ローラ５１に接触しない構造となっている。また、非接触部５５ｃの幅を印刷する記録媒体９９の記録幅と略等しい長さに形成すれば、記録媒体９９の搬送を妨げることがない。
【００５４】
第１吸熱部５５ａと第２吸熱部５５ｂとは、それぞれ、ヒートパイプ５５の各端部近傍に位置し、他の部位よりも太径に形成された円筒部位である。このように形成することにより、ヒートパイプ５５を加熱ローラ５１に摺接させた際、第１吸熱部５５ａ及び第２吸熱部５５ｂのみを加熱ローラ５１の端部に摺接させることができ、加熱ローラ５１の中央部を通過する記録媒体９９の搬送を妨げることがない。第１吸熱部５５ａと第２吸熱部５５ｂとは、それぞれ、加熱ローラ５１の端部に摺接しながら、加熱ローラ５１の端部の熱を吸収する。
【００５５】
上述のように、非接触部５５ｃ、第１吸熱部５５ａ、第２吸熱部５５ｂの各幅を印刷する記録媒体９９の記録幅に応じて設定することにより、印刷中の記録媒体９９の搬送を妨げることがないとともに、加熱ローラ５１の非通過部の熱を効率的に冷却することができる。したがって、本実施形態では、図６に示すように、ヒートパイプユニット５４は、定形記録媒体の記録幅に適合するヒートパイプ５５を内蔵するものとする。なお、非接触部５５ｃの幅は、各定形記録媒体の記録幅よりも１０ｍｍ大きく設定する。また、本実施形態に係る印刷装置１００が印刷可能な最大記録幅を定形記録媒体Ａ３であるとすれば、加熱ローラ５１のローラ幅はＡ３の記録幅と略等しい長さとなる。したがって、加熱ローラ５１の非通過部、第１吸熱部５５ａ、第２吸熱部５５ｂの幅は、印刷する記録媒体９９の記録幅に応じて一意に定まる。加熱ローラ５１の非通過部、第１吸熱部５５ａ、第２吸熱部５５ｂの幅は、およそ（加熱ローラ５１のローラ幅−記録媒体９９の記録幅）／２で求めることができる。
【００５６】
オペレータは、記録媒体セットユニット１４にセットした記録媒体９９の記録幅に応じて、ヒートパイプユニット５４を交換する。図６に示すように、ヒートパイプユニット５４は、ＨＵ５Ａ，ＨＵ５Ｂ，ＨＵ４Ａの３つの種別に分別され、各々、定形記録媒体Ａ５，Ｂ５，Ａ４の記録幅と略等しい幅の非接触部５５ｃを有するヒートパイプ５５を内蔵する。すなわち、上記種別のヒートパイプユニット５４は、各々、定形記録媒体Ａ５，Ｂ５，Ａ４を印刷する際、加熱ローラ５１の記録媒体９９が通過しない非通過部と略等しい幅の吸熱部５５ａ，５５ｂを有するヒートパイプ５５を内蔵する。オペレータは、記録媒体セットユニット１４にセットした記録媒体９９の記録幅に適合する幅の非接触部５５ｃを有するヒートパイプ５５を内蔵するヒートパイプユニット５４を定着部５０に装着する。ここで、ヒートパイプ５５の非接触部５５ｃの幅が記録媒体９９の記録幅に適合するとは、ヒートパイプ５５の非接触部５５ｃの幅の方が記録媒体９９の記録幅よりも若干大きく、両者の差が１０ｍｍ程度であることを意味する。なお、本実施形態では、ヒートパイプユニット５４を３つの種別に区分して説明するが、種別の数はこれに限られず、より多くの記録媒体９９の記録幅に対応するようにヒートパイプユニット５４の種別を設定してもよい。
【００５７】
挿着部５５ｉは、ヒートパイプ５５の一端部であり、第１駆動部５６ａにヒートパイプ５５を挿着するための接合部位として機能する。挿着部５５ｉは、第１駆動部５６ａに設けられた取付け部に装着され、第１駆動部５６ａと第２駆動部５６ｂとが各々備えるモータの連動駆動により、ヒートパイプ５５を回転移動させる。また、取付け部に付設されたベアリングにより、ヒートパイプ５５は回転可能に支持される。
【００５８】
放熱部５５ｒは、ヒートパイプ５５の挿着部５５ｉとは別のもう一方の端部であり、挿着部５５ｉよりも長尺に延伸されている。放熱部５５ｒは、第２駆動部５６ｂに設けられた取付け穴に挿通され、さらに、冷却部５７の内部に挿着される。
【００５９】
駆動部５６は、ヒートパイプ５５を加熱ローラ５１に接触する位置に移動させる駆動手段である。駆動部５６は、一対の第１駆動部５６ａと第２駆動部５６ｂとから構成され、それぞれ、ヒートパイプ５４の挿着部５５ｉと放熱部５５ｒとが挿着される。また、第１駆動部５６ａと第２駆動部５６ｂとは、各々、モータを備え、両モータが連動駆動して各駆動部５６ａ，５６ｂ全体を所定角度回転させることにより、ヒートパイプ５５を待機位置と作用位置との間で回転往復移動させる。
【００６０】
駆動部５６は、図７に示すように、ヒートパイプ５５の挿着部５５ｉと放熱部５５ｒとを挿着するための取付け部５６ｉを備える。取付け部５６ｉには、例えば、ベアリングが付設されているため、加熱ローラ５１に摺接された状態でも、ヒートパイプ５５は、少ない抵抗で回転することができる。なお、第２駆動部５６ｂの取付け部５６ｉは、ヒートパイプ５５の放熱部５５ｒを挿通することができる穴状に形成されている。
【００６１】
冷却部５７は、ヒートパイプ５５の放熱部５５ｒを冷却（放熱）させる。冷却部５７は、第２駆動部５６ｂに挿通された放熱部５５ｒを挿着可能な取付け部を備える。冷却部５７は、第２駆動部５６ｂを介して放熱部５５ｒが挿着された状態で、ヒートパイプ５５の待機位置と作用位置との間での回転往復移動を可能とする構造を有する。冷却部５７に挿着されたヒートパイプ５５の放熱部５５ｒは、冷却部５７内で冷却される。冷却部５７は、例えば、ヒートシンクや冷却ファン等、放熱部５５ｒの放熱（冷却）を促進することができる冷却部材又は冷却機器から構成される。
【００６２】
次に、図８を参照して、ヒートパイプユニット５４の着脱状態、及び、装着されたヒートパイプユニット５４の種別を判別するための構成について説明する。ヒートパイプユニット５４は、内蔵するヒートパイプ５５の非接触部５５ｃの幅によって区分される種別に応じて、異なる抵抗値の抵抗素子５４ｒを備える。図８（Ｂ）に示すように、例えば、種別ＨＵ５Ａ，ＨＵ５Ｂ，ＨＵ４Ａのヒートパイプユニット５４は、各々、抵抗素子５４ｒ１，５４ｒ２，５４ｒ３を備え、その抵抗値はそれぞれ、１．５ｋΩ，６８０Ω，２７０Ωとする。また、図８（Ａ）は、ヒートパイプユニット５４の抵抗素子５４ｒとプルダウン抵抗Ｒ１２との合成抵抗Ｒ１４と、ＣＰＵ６１の入力ポートＩＮ３に印加される電圧値と、を示すテーブルである。
【００６３】
ヒートパイプユニット５４が画像形成装置２０に装着されていない場合、図８（Ｂ）に示すように、ＣＨ−４とＣＨ−５とは断線しているため、画像形成装置２０のＣＰＵ６１の入力ポートＩＮ３には、電源電圧Ｖｃｃ３がプルアップ抵抗Ｒ１１を介してプルアップされた、Ｈ（ハイ）レベルの電圧（５Ｖ）が印加される。このように、ＣＰＵ６１は、入力ポートＩＮ３に印加された電圧レベルを検知することにより、ヒートパイプユニット５４の着脱状態を判別する。
【００６４】
一方、ヒートパイプユニット５４が画像形成装置２０に装着された場合、図８（Ｂ）に示すように、画像形成装置２０が備えるプルアップ抵抗Ｒ１１と、各ヒートパイプユニット５４が備える抵抗素子５４ｒと画像形成装置２０が備えるプルダウン抵抗Ｒ１２との合成抵抗Ｒ１４と、の分圧比により、画像形成装置２０の入力ポートＩＮ３に印加される電圧レベルが変化する。このように、ＣＰＵ６１は、入力ポートＩＮ３に印加された電圧レベルを検知することにより、装着されたヒートパイプユニット５４の種別を判別する。
【００６５】
例えば、種別ＨＵ５Ｂのヒートパイプユニット５４を画像形成装置２０に装着した場合、電源電圧Ｖｃｃ３が５Ｖのとき、画像形成装置２０の入力ポートＩＮ３に印加される電圧は、画像形成装置２０が備えるプルアップ抵抗Ｒ１１（１ｋΩ）と、ヒートパイプユニット５４が備える抵抗素子５４ｒ１（１．５ｋΩ）と画像形成装置２０が備えるブルダウン抵抗Ｒ１２（２．７ｋΩ）との合成抵抗Ｒ１４（４．２ｋΩ）と、の分圧電圧であるため、４．０４Ｖとなる。
【００６６】
このように、ＣＰＵ６１は、入力ポートＩＮ３に印加される電圧値に基づいて、装着されたヒートパイプユニット５４の種別を検出する。なお、ヒートパイプユニット５４が備える抵抗素子５４ｒは、ＣＨ−４とＣＨ−５とに接続するものに限らない。例えば、ＣＨ−４とＣＨ−５とを結線し、ヒートパイプユニット５４が備える抵抗素子５４ｒをＣＨ−５とＣＨ−６とに接続し、プルダウン抵抗Ｒ１２と並列接続するように構成してもよい。これにより、ヒートパイプユニット５４の種別が多岐にわたっても、その種別毎にＣＰＵ６１に印加される分圧電圧値を変化させることができ、ヒートパイプユニット５４の種別を判別することが可能となる。
【００６７】
図４の説明に戻って、定着部５０のさらに下流側には、トナー画像の定着後の記録媒体９９を定着部５０から搬出し、さらに画像形成装置２０の上面に形成されている排出トレイに排出する排出ローラ対２２が配設される。排出ローラ対２２を通って排出された記録媒体９９は、画像形成装置２０の側部に設置された従動ローラ２１を経由して巻き取り部１９へと供給される。
【００６８】
次に、図９を参照して、画像形成装置２０の制御に係る構成を説明する。画像形成装置２０は、ホストコンピュータ８０及び供給装置１０と、ＬＡＮ（Local Area Network）等のネットワーク又はＵＳＢ（Universal Serial Bus）によって互いに接続されている。
【００６９】
画像形成装置２０は、制御部６０、印刷部７０を備える。より詳細には、制御部６０は、ＣＰＵ６１、ＬＡＮ通信部６２、ＵＳＢ通信部６３、パネル制御部６４、オペレーションパネル６５、記憶装置６６、記憶装置制御部６７、コマンド解析部６８、を備える。また、印刷部７０は、印刷制御部７１、印刷機構部７２、を備える。
【００７０】
ＣＰＵ６１は、命令やデータを転送するための伝送経路であるシステムバスを介して画像形成装置２０の各部と接続され、画像形成装置２０の各部の動作を制御する。ＣＰＵ６１は、不図示のＲＯＭ（Read Only Memory）及びＲＡＭ（Random Access Memory）をワークメモリとして用いながら、ＲＯＭや記憶装置６６に記憶されているシステムソフトウェア等の各種プログラムを読み出し、適宜、実行する。
【００７１】
ＬＡＮ通信部６２、ＵＳＢ通信部６３は、それぞれ、ＬＡＮ、ＵＳＢを介して外部の機器と通信を行う。例えば、ＣＰＵ６１は、ＬＡＮ通信部６２又はＵＳＢ通信部６３を介してホストコンピュータ８０と通信し、ホストコンピュータ８０から送信された印刷ジョブを受信したり、画像形成装置２０の各種情報をホストコンピュータ８０に送信したりする。また、ＣＰＵ６１は、ＬＡＮ通信部６２又はＵＳＢ通信部６３を介して供給装置１０と通信し、記録媒体セットユニット１４に配置された記録媒体の記録幅を検出するために用いられる検出素子からの出力信号を受信する。
【００７２】
パネル制御部６４は、例えば、ＬＣＤ（Liquid Crystal Display）等の表示パネル、各種の操作ボタン等の入力装置を備えるオペレーションパネル６５に接続される。パネル制御部６４は、ＣＰＵ６１の制御のもと、種々の画像や文字、記号等をオペレーションパネル６５に表示する。また、パネル制御部６４は、オペレーションパネル６５に入力されたユーザからの各種操作を受け付け、受け付けた各種操作にそれぞれ対応する操作信号をＣＰＵ６１に供給する。なお、オペレーションパネル６５は、タッチスイッチ機能を備えるタッチパネル（タッチスクリーン）のような入力機能と表示機能とが組み合わされた装置であってもよい。
【００７３】
記憶装置６６は、例えば、ＥＥＰＲＯＭ（Electrically Erasable Programmable ROM）等の不揮発性メモリやＨＤＤ（Hard Disk Drive）等によって構成され、画像形成装置２０の動作に必要な各種プログラム及びデータを記憶する。
【００７４】
記憶装置６６は、図６（Ｂ）に示す、ヒートパイプユニット５４の種別と、ヒートパイプ５５の非接触部５５ｃの幅と、記録媒体９９の記録幅と、を対応づけたヒートパイプユニット対応テーブルを記憶する。ヒートパイプユニット５４の種別は、内蔵するヒートパイプ５５の非接触部５５ｃの幅に応じて区分されている。記録媒体の記録幅は、ヒートパイプ５５の非接触部５５ｃの幅に適合する定形記録媒体の記録幅［幅（×長さ）］を示す。なお、ヒートパイプ５５の非接触部５５ｃの幅は、記録媒体９９の搬送ずれ等を考慮して、適合する記録媒体９９の記録幅よりも１０ｍｍ長く設定している。
【００７５】
記憶装置制御部６７は、ＣＰＵ６１の制御のもと、記憶装置６６へのデータの書き込み制御、及び記憶装置６６に記憶されたデータの読み出し制御を行う。
【００７６】
コマンド解析部６８は、ＣＰＵ６１の制御のもと、ホストコンピュータ８０から送信される印刷データに含まれるコマンドの解析を行い、印刷データを、ブラック（Ｋ）、マゼンタ（Ｍ）、シアン（Ｃ）、イエロー（Ｙ）毎にビットマップの画像データに変換する。そして、コマンド解析部６８は、変換したビットマップの画像データを、ブラック（Ｋ）、マゼンタ（Ｍ）、シアン（Ｃ）、イエロー（Ｙ）毎に、フレームメモリの対応する記憶エリアに展開する。フレームメモリに展開された画像データは、印刷制御部７１に出力される。
【００７７】
印刷制御部７１は、ＣＰＵ６１の制御のもと、画像形成部３０、中間転写ベルトユニット４０、定着部５０等を含む印刷機構部７２を制御し、コマンド解析部６８によって生成された画像データに従って印刷処理を行う。例えば、印刷制御部７１は、中間転写ベルトユニット４０の上下移動や転写ベルト４１の回転駆動を行うための制御、駆動ローラ４２、待機搬送ローラ対４５、排出ローラ対２２等の回転駆動される搬送機構を駆動するための制御、回転駆動系等への電圧印加を行うための制御、定着部５０の加熱ローラ５１等への電圧印加を行うための制御等を行う。
【００７８】
次に、図１０を参照して、加熱ローラ５１の記録媒体９９が通過しない端部（非通過部）の表面温度の遷移について説明する。画像形成装置２０の電源が投入されると、ＣＰＵ６１は、加熱ローラ５１の記録媒体９９が通過する中央に配置された第１サーミスタ５３ａの抵抗値に基づく算出温度がトナーの溶融に必要な温度である目標温度Ｔｔ（例えば、１８０℃）に到達するまでヒータを最大出力で加熱する。ＣＰＵ６１は、第１サーミスタ５３ａの抵抗値に基づく算出温度が目標温度Ｔｔに到達すると、その目標温度Ｔｔが維持されるように、ヒータの発熱量をフィードバック制御する。例えば、ＣＰＵ６１は、第１サーミスタ５３ａの抵抗値に基づく加熱ローラ５１の温度Ｔｒと、予め設定されている目標温度Ｔｔとの偏差ｅ（＝Ｔｔ−Ｔｒ）に応じて、ＰＩＤ（Proportional Integral Derivative）制御により、ヒータへの給電を制御する。
【００７９】
このように、加熱ローラ５１の記録媒体９９が通過する中央部（通過部）の表面温度は、ＰＩＤ制御によって目標温度Ｔｔにほぼ維持される。一方、加熱ローラ５１の記録媒体９９が通過しない端部（非通過部）の表面温度は、記録媒体９９に熱を奪われることなく蓄熱するため、記録媒体９９が通過する中央部（通過部）よりも高くなる。
【００８０】
図１０に示すように、端部（非通過部）の表面温度は、画像形成装置２０の電源の投入後、中央部（通過部）と同様、目標温度Ｔｔに到達するまで上昇する。ＣＰＵ６１は、第１サーミスタ５３ａ及び第２サーミスタ５３ｂの抵抗値に基づく算出温度が目標温度Ｔｔに到達した後、印刷動作を開始する。端部（非通過部）の表面温度は、印刷動作が開始された後も緩やかに上昇する。端部（非通過部）に配置された第２サーミスタ５３ｂの抵抗値に基づく算出温度が、予め定められた閾値Ｔｔｈ（例えば、１９０℃）を超えて過熱状態になると、ＣＰＵ６１は、加熱ローラ５１内のヒータへの給電を停止して、印刷動作を中断する。ＣＰＵ６１は、端部の表面温度がトナーの溶融に必要な下限温度Ｔｍ（例えば、１７５℃）まで下がったら、ヒータへの給電を開始し、印刷動作を再開する。このように、ＣＰＵ６１は、端部の表面温度の変化に応じて、印刷動作の中断、再開を指示する。目標温度Ｔｔ、下限温度Ｔｍ、及び閾値Ｔｔｈの値は、例えば、記憶装置６６に予め記憶されている。
【００８１】
次に、図１１（Ａ）に示すフローチャートを参照しながら、画像処理装置２０が実行する適合判別処理について説明する。なお、画像処理装置２０のＣＰＵ６１は、印刷コマンドが投入され、印刷ジョブを実行したことに応答して、図１１（Ａ）に示す適合判別処理を開始する。
【００８２】
まず、ＣＰＵ６１は、記録媒体９９が記録媒体セットユニット１４にセットされているか否かを判別する（ステップＳ１０１）。上記で説明したとおり、記録媒体９９をセットして記録媒体セットユニット１４のトップカバーを閉じると、適宜のセンサの出力信号が、供給装置１０が備える通信手段を介して画像形成装置２０に伝達される。ＣＰＵ６１は、このセンサからの出力信号に基づいて、記録媒体９９がセットされているか否かを判別する。
【００８３】
ＣＰＵ６１は、記録媒体９９が記録媒体セットユニット１４にセットされていると判別した場合（ステップＳ１０１；ＹＥＳ）、記録媒体９９の記録幅を判別する（ステップＳ１０２）。上記で説明したとおり、ＣＰＵ６１は、入力ポートＩＮ１及びＩＮ２に、各々、印加される電圧値に基づき、記録媒体９９の種別を判別する。ＣＰＵ６１は、記録幅判別手段として機能する。
【００８４】
一方、ＣＰＵ６１は、記録媒体９９が記録媒体セットユニット１４にセットされていないと判別した場合（ステップＳ１０１；ＮＯ）、ステップＳ１０１に処理を戻す。つまり、ＣＰＵ６１は、記録媒体９９が記録媒体セットユニット１４にセットされていると判別するまで、ステップＳ１０１の処理を繰り返す。
【００８５】
次に、ＣＰＵ６１は、ヒートパイプユニット５４が画像形成装置２０に装着されているか否かを判別する（ステップＳ１０３）。上記で説明したとおり、ＣＰＵ６１は、入力ポートＩＮ３に印加される電圧値に基づき、ヒートパイプユニット５４が装着されているか否かを判別する。
【００８６】
ＣＰＵ６１は、ヒートパイプユニット５４が装着されていると判別した場合（ステップＳ１０３；ＹＥＳ）、次に、ヒートパイプユニット５４の種別に基づき、ヒートパイプ５５の非接触部５５ｃの幅を判別する（ステップＳ１０４）。ＣＰＵ６１は、ステップＳ１０３の処理と同様に、記憶装置６６に記憶されている、図６（Ｂ）に示すヒートパイプユニット対応テーブルを参照して、入力ポートＩＮ３に印加される電圧値に基づいて特定されたヒートパイプユニット５４の種別に対応づけられたヒートパイプユニット５５の非接触部５５ｃの幅を判別する。
【００８７】
一方、ＣＰＵ６１は、ヒートパイプユニット５４が装着されていないと判別した場合（ステップＳ１０３；ＮＯ）、処理をステップＳ１０３に戻し、ヒートパイプユニット５４が装着されるまで待機する。
【００８８】
ＣＰＵ６１は、ステップＳ１０４の処理を完了すると、記録媒体９９の記録幅とヒートパイプユニット５４の種別により特定されるヒートパイプ５５の非接触部５５ｃの幅とが適合するか否かを判別する（ステップＳ１０５）。ＣＰＵ６１は、図６（Ｂ）に示すヒートパイプユニット対応テーブルを参照し、ステップＳ１０２で判別した記録媒体９９の記録幅（サイズ）と、ステップＳ１０４で判別したヒートパイプユニット５４の種別により特定されるヒートパイプ５５の非接触部５５ｃの幅と、が対応づけられているか否かを検索することにより、記録媒体９９の記録幅とヒートパイプ５５の非接触部５５ｃの幅とが適合するか否かを判別する。
【００８９】
ＣＰＵ６１は、記録媒体９９の記録幅とヒートパイプユニット５４の種別により特定されるヒートパイプ５５の非接触部５５ｃの幅とが適合すると判別した場合（ステップＳ１０５；ＹＥＳ）、本処理を終了する。なお、ＣＰＵ６１は、処理を終了する前に、装着されたヒートパイプユニット５４の種別と記録媒体セットユニット１４にセットされた記録媒体９９の記録幅とが適合する旨を報知してもよい。
【００９０】
一方、記録媒体９９の記録幅とヒートパイプユニット５４の種別により特定されるヒートパイプ５５の非接触部５５ｃの幅とが適合しないと判別した場合（ステップＳ１０５；ＮＯ）、ＣＰＵ６１は、図６（Ｂ）に示すヒートパイプユニット対応テーブルを参照し、記録媒体９９の記録幅に適合する幅のヒートパイプ５５の非接触部５５を内蔵するヒートパイプユニット５４を検索する。ＣＰＵ６１は、検索結果に基づいてヒートパイプユニット５４の種別を特定し、図１１（Ｂ）に示すような、装着しているヒートパイプユニット５４を、特定した種別のヒートパイプユニット５４に交換することを促すメッセージ画面８１を、パネル制御部６４を制御してオペレーションパネル６５に表示させる（ステップＳ１０６）。
【００９１】
ＣＰＵ６１は、ステップＳ１０６の処理を終了すると、処理をステップＳ１０３に戻し、ステップＳ１０３〜Ｓ１０５の処理を繰り返す。つまり、ＣＰＵ６１は、記録媒体９９の記録幅とヒートパイプ５５の非接触部５５ｃの幅とが適合すると判別するまで、図１１（Ｂ）に示すようなメッセージ画面８１をオペレーションパネル６５に表示させて、記録媒体９９の記録幅に適合するヒートパイプ５５を内蔵するヒートパイプユニット５４に交換することを促すメッセージの報知を繰り返す。
【００９２】
本処理が終了し、その他の初期化処理が終了後、ホストコンピュータ８０から受信した印刷コマンドに応じて発生した印刷ジョブを実行する。
【００９３】
次に、図１２に示すフローチャートを参照しながら、画像処理装置２０が実行する冷却処理について説明する。なお、画像処理装置２０のＣＰＵ６１は、印刷コマンドが投入され、印刷ジョブを実行したことに応答して、図１２に示す冷却処理を開始する。ＣＰＵ６１は、冷却開始手段、冷却停止手段として機能する。なお、冷却開始手段、冷却停止手段は、冷却手段の一部として機能する。
【００９４】
まず、ＣＰＵ６１は、加熱ローラ５１の非通過部の温度Ｔｒが許容範囲の上限温度を示す第１閾値Ｔｔｈ１以上であるか否かを判別する（ステップＳ２０１）。ＣＰＵ６１は、加熱ローラ５１の非通過部に近接する位置に配置されたサーミスタの抵抗値変化に基づいて温度Ｔｒを算出する。また、ＣＰＵ６１は、記憶装置６６に予め記憶された第１閾値Ｔｔｈ１を取得する。第１閾値Ｔｔｈ１は、例えば、１９０℃に設定されている。ＣＰＵ６１は、両者を比較して、加熱ローラ５１の非通過部の温度Ｔｒが第１閾値Ｔｔｈ１以上であるか否かを判別する。
【００９５】
ＣＰＵ６１は、加熱ローラ５１の非通過部の温度Ｔｒが第１閾値Ｔｔｈ１以上であると判別した場合（ステップＳ２０１；ＹＥＳ）、ヒートパイプ５５の吸熱部５５ａ，５５ｂを加熱ローラ５１の非通過部に摺接させ、加熱ローラ５１の非通過部を冷却する（ステップＳ２０２）。ＣＰＵ６１は、駆動部のモータを駆動させて、ヒートパイプ５５を待機位置から作用位置に移動させ、ヒートパイプ５５の吸熱部５５ａ，５５ｂを加熱ローラ５１の非通過部に接触させる。これにより、加熱ローラ５１の非通過部の熱は吸熱部に吸収され、加熱ローラ５１の非通過部の冷却が開始される。
【００９６】
一方、ＣＰＵ６１は、加熱ローラ５１の非通過部の温度Ｔｒが第１閾値Ｔｔｈ１以上ではないと判別した場合（ステップＳ２０１；ＹＥＳ）、処理をステップＳ２０１に戻し、加熱ローラ５１の非通過部の温度Ｔｒが第１閾値Ｔｔｈ１以上であると判別するまで繰り返す。
【００９７】
ＣＰＵ６１は、所定時間が経過したか否かを判別する（ステップＳ２０３）。所定時間は、例えば、３０秒程度であればよい。ＣＰＵ６１は、所定時間が経過するまで本処理を繰り返し（ステップＳ２０３；ＮＯ）、所定時間が経過した場合（ステップＳ２０３；ＹＥＳ）、タイマをリセットし、加熱ローラ５１の非通過部の温度Ｔｒが許容範囲の下限温度を示す第２閾値Ｔｔｈ２以下であるか否かを判別する（ステップＳ２０４）。第２閾値Ｔｔｈ２は、例えば、１７５℃に設定されている。
【００９８】
ＣＰＵ６１は、加熱ローラ５１の非通過部の温度Ｔｒが第２閾値Ｔｔｈ２以下であると判別した場合（ステップＳ２０４；ＹＥＳ）、ヒートパイプ５５の吸熱部５５ａ，５５ｂを加熱ローラ５１の非通過部から離接させ、加熱ローラ５１の非通過部の冷却を停止する（ステップＳ２０５）。ＣＰＵ６１は、駆動部のモータを駆動させて、ヒートパイプ５５を作用位置から待機位置に移動させ、ヒートパイプ５５の吸熱部５５ａ，５５ｂを加熱ローラ５１の非通過部に離接させる。これにより、加熱ローラ５１の非通過部の冷却が停止される。ＣＰＵ６１は、ステップＳ２０５の処理を終了すると、処理をステップＳ２０１に戻す。
【００９９】
一方、ＣＰＵ６１は、加熱ローラ５１の非通過部の温度Ｔｒが第２閾値Ｔｔｈ２以下ではないと判別した場合（ステップＳ２０４；ＮＯ）、処理をステップＳ２０３に戻し、加熱ローラ５１の非通過部の温度Ｔｒが第２閾値Ｔｔｈ２以下に冷却されるまでステップＳ２０３〜Ｓ２０４の処理を繰り返す。
【０１００】
以上説明したように、本実施形態によれば、セットされた記録媒体９９の記録幅に適合するヒートパイプユニット５４が画像形成装置２０に装着されていることを条件に、印刷ジョブが実行される。記録媒体９９の記録幅に適合するヒートパイプ５５を内蔵するヒートパイプユニット５４を装着することにより、印刷ジョブが実行中、加熱ローラ５１の非通過部が過熱状態になった場合であっても、加熱ローラ５１の非通過部のみを効率的に冷却することができる。
【０１０１】
（実施形態２）
上記の実施形態１に係る印刷装置１００は、記録媒体セットユニット１４にセットされた記録媒体９９の記録幅に適合するヒートパイプ５５を用いて加熱ローラ５５の非通過部を冷却することを可能とする。しかし、印刷する記録媒体９９の記録幅が変更されるごとに、ヒートパイプユニット５４を交換する手間が生じる。以下に、記録媒体９９の記録幅が変更される際に生じる、ヒートパイプユニット５４を交換する手間を低減することを可能とする、実施形態２に係る印刷装置１００について説明する。
【０１０２】
図１３を参照して、実施形態２に係るヒートパイプユニット１５４の構造について説明する。ヒートパイプユニット１５４は、駆動部５６に取付け部５６ｉを２つ設けることにより、２つの異なる非接触部５５ｃの幅を有するヒートパイプ５５Ａ，５５Ｂを備える。印刷動作中、加熱ローラ５１の非通過部の温度が許容範囲の上限温度を示す第１閾値Ｔｔｈ１未満の場合、図１３（Ａ）に示すように、２つのヒートパイプ５５Ａ，５５Ｂは、共に、加熱ローラ５１から離接された位置（待機位置）にある。連続印刷等により加熱ローラ５１の非通過部の温度が第１閾値Ｔｔｈ１になった場合、図１３（Ｂ）に示すように、ＣＰＵ６１の制御に従って、駆動部５６が、自己が備えるモータの駆動により駆動部５６全体が矢印Ａ方向に回転し、記録媒体９９の記録幅に適合する非接触部５５ｃの幅を有するヒートパイプ５５Ａは、加熱ローラ５１に摺接する位置（作用位置）に回転移動する。加熱ローラ５１の非通過部の温度が許容範囲の下限温度を示す第２閾値Ｔｔｈ２以下に低下した場合、ＣＰＵ６１の制御に従って、駆動部５６が、自己が備えるモータの駆動により駆動部５６全体が矢印Ｂ方向に回転し、再び、ヒートパイプ５５Ａ，５５Ｂは、図１３（Ａ）に示す、加熱ローラ５１から離接された位置（待機位置）に戻る。
【０１０３】
上記の実施形態１では、ヒートパイプユニット５４毎に異なる抵抗値を有する抵抗素子５４ｒを備えることにより、印刷装置１００に装着されたヒートパイプユニット１５４の種別を判別した。本実施形態においても、ヒートパイプユニット１５４が備えるヒートパイプ５５の組み合わせと、配置と、検出電圧と、を対応付けるテーブルを予め記憶装置６６に記憶させることにより、適用することが可能である。
【０１０４】
次に、図１４に示すフローチャートを参照しながら、２つの異なる非接触部５５ｃの幅を有するヒートパイプ５５を内蔵するヒートパイプ５４が装着された場合に、画像処理装置２０が実行する適合判別処理について説明する。なお、画像処理装置２０のＣＰＵ６１は、印刷コマンドが投入され、印刷ジョブを実行したことに応答して、図１４に示す適合判別処理を開始する。なお、図１４に示すフローチャート中のステップＳ３０１〜Ｓ３０４は、図１２に示すフローチャート中のステップＳ１０１〜Ｓ１０４と同一の処理であるため、詳しい説明を省略する。ＣＰＵ６１は、選択手段として機能する。
【０１０５】
ＣＰＵ６１は、ステップＳ３０１〜Ｓ３０４の処理により、記録媒体９９の記録幅及びヒートパイプ５５の非接触部５５ｃの幅を判別した後、定着部５０に格納されたヒートパイプユニット５４が内蔵するヒートパイプ５５を任意に選択し、記録媒体９９の記録幅と選択したヒートパイプ５５の非接触部５５ｃの幅とが適合するか否かを判別する（ステップＳ３０５）。ＣＰＵ６１は、適合すると判別した場合（ステップＳ３０５；ＹＥＳ）、記録媒体９９の記録幅と適合する非接触部５５ｃの幅を有するヒートパイプ５５を加熱ローラ５１の冷却に用いるヒートパイプ５５として選択し（ステップＳ３０６）、本処理を終了する。
【０１０６】
一方、ＣＰＵ６１は、適合しないと判別した場合（ステップＳ３０５；ＮＯ）、定着部５０に格納されたヒートパイプユニット５４が内蔵する全てのヒートパイプ５５がステップＳ３０５において判別されたか否かを判別し（ステップＳ３０７）、全てのヒートパイプ５５がステップＳ３０５において判別されるまで処理をステップＳ３０５に戻して繰り返す（ステップＳ３０７；ＮＯ）。
【０１０７】
ＣＰＵ６１は、定着部５０に格納されたヒートパイプユニット５４が内蔵する全てのヒートパイプ５５がステップＳ３０５において判別されたと判断した場合（ステップＳ３０７；ＹＥＳ）、すなわち、記録媒体９９の記録幅と適合する非接触部５５ｃの幅を有するヒートパイプ５５がないと判別した場合、記憶装置６６に記憶されたヒートパイプ対応テーブルを参照して記録媒体９９の記録幅よりも長い非接触部５５ｃの幅を有するヒートパイプ５５を検索する（ステップＳ３０８）。
【０１０８】
次に、ＣＰＵ６１は、ステップＳ３０８で検索された、記録媒体９９の記録幅よりも長い非接触部５５ｃの幅を有するヒートパイプ５５の中から、非接触部５５ｃの幅が最も短いヒートパイプ５５を検索し、加熱ローラ５１の冷却に用いるヒートパイプ５５として選択する（ステップＳ３０９）。ＣＰＵ６１は、ステップＳ３０９の処理を完了すると、本処理を終了する。
【０１０９】
本処理が終了し、その他の初期化処理が終了後、ホストコンピュータ８０から受信した印刷コマンドに応じて発生した印刷ジョブを実行する。
【０１１０】
このように、ヒートパイプユニット１５４が２つの異なる非接触部５５ｃの幅を有するヒートパイプ５５を備えることにより、印刷頻度の高い記録媒体９９の記録幅に適合するヒートパイプ５５を備えるヒートパイプユニット１５４を印刷装置１００に装着することにより、交換の手間をかけることなく効率的に加熱ローラ５１の非通過部のみを冷却することができる。また、部品点数の低減によりコストを削減することができる。
【０１１１】
以上に本発明の実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【０１１２】
（変形例１）
上記の実施形態では、定着ユニット５１に対して１つのヒートパイプユニット５４を装着した。しかし、図１５に示すように、定着ユニット５１に対してヒートパイプユニット５４，１５４を配置できるような構造としてもよい。加熱ローラ５１の周囲に配置された各ヒートパイプユニット５４がそれぞれ異なる非接触部５５ｃの幅を有するヒートパイプ５５を備えれば、多様な記録媒体９９の記録幅に対応することができ、印刷する記録媒体９９の記録幅の変更に伴うヒートパイプユニット５４の交換作業を大幅に削減することが可能である。
【０１１３】
複数のヒートパイプユニット５４を加熱ローラ５１の周囲に配置した場合、各ヒートパイプユニット５４に内蔵されたヒートパイプ５５のいずれを使用するかの選択は、図１４のフローチャートに示す適合判別処理に基づいて行うことができる。
【０１１４】
（変形例２）
実施形態１において、図１２のフローチャートに示す冷却処理では、ヒートパイプ５５による加熱ローラ５１の冷却の開始及び停止の契機の判断基準に、加熱ローラ５１の非通過部の温度と許容範囲の上限と下限とを示す各閾値との比較結果を用いたが（ステップＳ２０１，Ｓ２０４）、その他の判断基準を用いてもよい。例えば、加熱ローラ５１の中央部と片側端部とにそれぞれ配置されたサーミスタ５３ａ，５３ｂの各抵抗値に基づいて温度をそれぞれ算出し、両者の温度差が許容温度差Ｔｓを上回るか否かを判別することにより、冷却の開始及び停止を判断してもよい。
【０１１５】
（変形例３）
冷却部５７の冷却温度を制御して、加熱ローラ５１の非通過部の温度を効率よく低下させてもよい。ヒートパイプ５５による加熱ローラ５１の非通過部の冷却を開始した後、冷却上限時間までに冷却が停止されない場合、例えば、冷却ファンの風量を上げて冷却効果を高める。一方、ヒートパイプ５５による加熱ローラ５１の非通過部の冷却を開始した後、冷却下限時間より先に冷却が停止した場合、例えば、冷却ファンの風量を下げて冷却効果を下げる。このように、冷却部５７の冷却強度を制御することにより、加熱ローラ５１の非通過部の温度を目標温度Ｔｔに効率よく遷移させることができる。ＣＰＵ６１は、温度制御手段として機能する。
【０１１６】
なお、本発明に係る機能を実現するための構成を予め備えた印刷装置として提供することができることはもとより、プログラムの適用により、既存の情報機器を、本発明に係る印刷装置として機能させることもできる。すなわち、上記実施形態で例示した印刷装置１００による各機能構成を実現させるためのプログラムを、既存の情報機器を制御して機能させることができる。また、本発明に係る制御方法は、印刷装置を用いて実施できる。
【０１１７】
また、このようなプログラムの適用方法は、任意である。プログラムを、例えば、フレキシブルディスク、ＣＤ（Compact Disc）−ＲＯＭ、ＤＶＤ（Digital Versatile Disc）−ＲＯＭ、メモリーカード等のコンピュータ読み取り可能な記憶媒体に格納して適用できる。さらに、プログラムを搬送波に重畳し、インターネット等の通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【０１１８】
また、上記の実施形態は、本発明を説明するためのものであり、本発明の範囲を制限するものではない。したがって、当業者であれば上記の各構成要素を均等なものに置換した実施形態を採用することが可能であるが、これらの実施形態も本発明の範囲に含まれる。
【０１１９】
以上、本発明の好ましい実施形態について説明したが、本発明は係る特定の実施形態に限定されるものではなく、本発明には、特許請求の範囲に記載された発明とその均等の範囲とが含まれる。以下に、本願発明の当初の特許請求の範囲に記載された発明を付記する。
【０１２０】
（付記１）
記録媒体に現像剤像を転写する転写部と、
前記転写部で前記現像剤像が転写された前記記録媒体に前記現像剤像を定着させるための熱を供給する加熱ローラと、
前記記録媒体と接触しない前記加熱ローラの第１の部分の温度を検知する第１の温度検知手段と、
前記第１の温度検知手段により検知された温度が冷却条件を満たすと、前記加熱ローラの前記第１の部分を冷却する冷却手段と、
を備える、
ことを特徴とする印刷装置。
【０１２１】
（付記２）
前記冷却手段は、
冷却部と、
前記加熱ローラの前記第１の部分に接触して前記第１の部分の熱を前記冷却部に伝導する熱伝導部と、
前記第１の温度検知手段が検知した温度が前記冷却条件を満たすと、前記熱伝導部を前記第１の部分に接触させて、前記加熱ローラの冷却を開始する冷却開始手段と、
前記第１の温度検知手段が検知した温度が冷却停止条件を満たすと、前記第１の部分に接触している前記熱伝導部を前記第１の部分から離接させて、前記加熱ローラの冷却を停止する冷却停止手段と、
を有する、
ことを特徴とする付記１に記載の印刷装置。
【０１２２】
（付記３）
セット部にセットされた前記記録媒体の記録幅を判別する記録幅判別手段と、
それぞれが、前記第１の部分に接触して前記第１の部分の熱を前記冷却部に伝導する、前記第１の部分に接触する接触部の幅が互いに異なる複数の前記熱伝導部と、
前記複数の熱伝導部のうちから、前記記録幅判別手段が判別した前記記録媒体の前記記録幅に適合する前記熱伝導部を選択する選択手段と、
をさらに備え、
前記冷却開始手段は、前記第１の温度検知手段が検知した温度が前記冷却条件を満たすと、前記選択手段が選択した前記熱伝導部を前記第１の部分に接触させて、前記加熱ローラの冷却を開始する、
ことを特徴とする付記２に記載の印刷装置。
【０１２３】
（付記４）
前記記録媒体と接触する前記加熱ローラの第２の部分の温度を検知する第２の温度検知手段をさらに備え、
前記冷却条件は、前記第１の温度検知手段により検知された温度が上限温度を超えた場合、又は、前記第１の温度検知手段により検知された前記第１の部分の温度と前記第２の温度検知手段により検知された前記第２の部分の温度との温度差が第１の許容温度差を超えて高くなった場合、に満たされ、
前記冷却停止条件は、前記第１の温度検知手段により検知された温度が、前記上限温度よりも低い温度に設定された下限温度を下回った場合、又は、前記第１の温度検知手段により検知された前記第１の部分の温度と前記第２の温度検知手段により検知された前記第２の部分の温度との温度差が前記第１の許容温度差よりも小さな値に設定された第２の許容温度差を下回った場合、に満たされる、
ことを特徴とする付記２又は３に記載の印刷装置。
【０１２４】
（付記５）
記録媒体に現像剤像を転写する転写部と、
前記転写部で前記現像剤像が転写された前記記録媒体に前記現像剤像を定着させるための熱を供給する加熱ローラと、
を備える印刷装置の印刷制御方法であって、
前記記録媒体と接触しない前記加熱ローラの第１の部分の温度を検知する第１の温度検知ステップと、
前記第１の温度検知ステップにより検知された温度が冷却条件を満たすと、前記第１の部分を冷却する冷却ステップと、
を備える、
ことを特徴とする印刷制御方法。
【０１２５】
（付記６）
記録媒体に現像剤像を転写する転写部と、
前記転写部で前記現像剤像が転写された前記記録媒体に前記現像剤像を定着させるための熱を供給する加熱ローラと、
を備える印刷装置のプログラムであって、
コンピュータに、
前記記録媒体と接触しない前記加熱ローラの第１の部分の温度を検知する第１の温度検知処理と、
前記第１の温度検知処理により検知された温度が冷却条件を満たすと、前記第１の部分を冷却する冷却処理と、
を実行させる、
ことを特徴とするプログラム。
【符号の説明】
【０１２６】
１０…供給装置、１１…搬送部、１２…テンションローラ、１３…従動ローラ、１４…記録媒体セットユニット、１４ａ…規制ガイド、１４ｂ…突出部、１４ｃ…スイッチ素子（ＳＷ１）、１４ｄ…スイッチ素子（ＳＷ２）、１４ｅ，１４ｆ…押下片、１５…記録媒体搬送ローラ対、１６…オートカッタ、１７…本体進入搬送ローラ対、１８…保持部（アンワインダ）、１９…巻き取り部（リワインダ）、２０…画像形成装置、２１…従動ローラ、２２…排出ローラ対、３０…画像形成部、３１（３１ｋ，３１ｃ，３１ｍ，３１ｙ）…画像形成ユニット、３２…感光体ドラム、３３…クリーナ、３４…帯電ローラ、３５…光書込ヘッド、３６…現像器、３７…現像ローラ、４０…中間転写ベルトユニット、４１…転写ベルト、４２…駆動ローラ、４３…従動ローラ、４４…一次転写ローラ、４５…待機搬送ローラ対、４６…二次転写ローラ、５０…定着部、５１…加熱ローラ、５１ａ…芯金部、５１ｂ…弾性層、５１ｃ…ヒータ、５２…加圧ローラ、５２ａ…芯金部、５２ｂ…弾性層、５３…サーミスタ、５３ａ…第１サーミスタ、５３ｂ…第２サーミスタ、５４…ヒートパイプユニット、５４ｒ，５４ｒ１，５４ｒ２，５４ｒ３…抵抗素子、５５，５５Ａ，５５Ｂ…ヒートパイプ、５５ａ…第１吸熱部、５５ｂ…第２吸熱部、５５ｃ…非接触部、５５ｉ…挿着部、５５ｒ…放熱部、５６…駆動部、５６ａ…第１駆動部、５６ｂ…第２駆動部、５６ｉ…取付け部、５７…冷却部、６０…制御部、６１…ＣＰＵ、６２…ＬＡＮ通信部、６３…ＵＳＢ通信部、６４…パネル制御部、６５…オペレーションパネル、６６…記憶装置、６７…記憶装置制御部、６８…コマンド解析部、７０…印刷部、７１…印刷制御部、７２…印刷機構部、８０…ホストコンピュータ、８１…メッセージ画面、９９…記録媒体、１００…印刷装置、１５４…ヒートパイプユニット
【図１】
2015132698.tif 000003
【図２】
2015132698.tif 000004
【図３】
2015132698.tif 000005
【図４】
2015132698.tif 000006
【図５】
2015132698.tif 000007
【図６】
2015132698.tif 000008
【図７】
2015132698.tif 000009
【図８】
2015132698.tif 000010
【図９】
2015132698.tif 000011
【図１０】
2015132698.tif 000012
【図１１】
2015132698.tif 000013
【図１２】
2015132698.tif 000014
【図１３】
2015132698.tif 000015
【図１４】
2015132698.tif 000016
【図１５】
2015132698.tif 000017